【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
装置であって、
マイクロミラーを含むＤＭＤと、
前記ＤＭＤのマイクロミラーを照明するための光源であって、
前記ＤＭＤのマイクロミラーの第１のセットを照明する第１のビームプロファイルを生成するための第１の光源と、
前記ＤＭＤのマイクロミラーの第２のセットを照明する第２のビームプロファイルを生成するための第２の光源と、
を含む、前記光源と、
を含み、
前記第１及び第２のビームプロファイルが、前記ＤＭＤの少なくともいくつかのマイクロミラー上で部分的に重なり、
前記第１の光源が、感知される走行条件に応答してパワーと明るさとを調節するために、前記第２の光源と独立してソース変調され、
前記ＤＭＤの前記マイクロミラーが、前記感知された走行条件に応答して変調される、装置。
【請求項２】
請求項１に記載の装置であって、
前記光源が、前記ＤＭＤのマイクロミラーの第３のセットを照明する第３のビームプロファイルを生成するための第３の光源を更に含み、
前記第２及び第３のビームプロファイルが、前記ＤＭＤのマイクロミラー上で重なり、
前記第３の光源が、前記感知された走行条件に応答してパワーと明るさとを調節するために、前記第１及び第２の光源と独立してソース変調される、装置。
【請求項３】
請求項２に記載の装置であって、
前記第１の光源が、前記感知された走行条件が左旋回であることに応答してパワーと明るさとを調節するために、ソース変調され、
前記第３の光源が、前記感知された走行条件が右旋回であることに応答してパワーと明るさとを調節するために、ソース変調され、
前記ＤＭＤの前記マイクロミラーが、前記感知された走行条件が左又は右旋回であることに応答して変調される、装置。
【請求項４】
請求項１に記載の装置であって、
前記ＤＭＤの前記マイクロミラーからの反射光を収集するために、投影光学系によって形成される投影瞳が、前記第１、第２、及び第３のビームプロファイルによってスパースに満たされ、前記ＤＭＤのエタンデュがスパースに満たされる、装置。
【請求項５】
請求項２に記載の装置であって、
前記光源が、前記ＤＭＤのマイクロミラーを照明するそれぞれの第４、第５及び第６のビームプロファイルを生成するための第４、第５、及び第６の光源を更に含み、
前記第４、第５及び第６のビームプロファイルの近接するペアが、前記ＤＭＤのマイクロミラー上で部分的に重なり、
各光源が、感知される走行条件に応答してパワーと明るさとを調節するために他の光源と独立してソース変調される、装置。
【請求項６】
請求項３に記載の装置であって、
前記光源の各々が、発光ダイオードとレーザとレーザ照明蛍光体とのうちの１つである、装置。
【請求項７】
請求項２に記載の装置であって、
前記ＤＭＤのアクティブ表面より上方に配置されるミラーを更に含み、
前記光源のうちの１つ又は複数が前記ＤＭＤの前記アクティブ表面より下方に配置され、
前記光源のうちの前記１つ又は複数が前記ミラーを照射するために前記ＤＭＤの前記アクティブ表面より下にあり、
前記ミラーが前記ＤＭＤのマイクロミラー上に入射光を反射するように配置される、装置。
【請求項８】
請求項２に記載の装置であって、
それぞれの光源から前記ＤＭＤのマイクロミラーに向かう光をコリメートし、ビーム整形し、集束するための照明光学要素の第１、第２及び第３のセットを更に含み、
前記光源の各々が、前記ＤＭＤのマイクロミラーの方を向くように傾斜される、装置。
【請求項９】
請求項２に記載の装置であって、
前記第１、第２及び第３の光源から前記ＤＭＤのマイクロミラーに向かう光をコリメートし、ビーム整形し、集束するための照明光学要素のセットを更に含み、
前記光源の各々が、前記ＤＭＤのマイクロミラーの方を向くように傾斜される、装置。
【請求項１０】
請求項２に記載の装置であって、
前記第１、第２及び第３の光源から前記ＤＭＤのマイクロミラーに向かう光をコリメートし、ビーム整形し、集束するための照明光学要素のセットを更に含み、
前記光源の各々が、前記ＤＭＤのマイクロミラーを照明するために前記ＤＭＤの平面に平行な平面に配置される、装置。
【請求項１１】
システムであって、
マイクロミラーを含むＤＭＤと、
前記ＤＭＤのマイクロミラーの第１のセットを照明する第１のビームプロファイルを生成するための第１の光源と、
前記ＤＭＤのマイクロミラーの第２のセットを照明する第２のビームプロファイルを生成するための第２の光源であって、前記第１及び第２のビームプロファイルが前記ＤＭＤのマイクロミラー上で部分的に重なる、前記第２の光源と、
前記ＤＭＤのマイクロミラーの第３のセットを照明する第３のビームプロファイルを生成するための第３の光源であって、前記第２及び第３のビームプロファイルが前記ＤＭＤのマイクロミラー上で部分的に重なる、前記第３の光源と、
前記第１の光源から前記ＤＭＤ上に光を反射させる、前記第３の光源から前記ＤＭＤ上に光を反射させるためのミラーと、
を含む、システム。
【請求項１２】
請求項１１に記載のシステムであって、
前記ＤＭＤのマイクロミラーからの反射光を収集するために投影光学系によって形成される投影瞳が、前記第１、第２、及び第３のビームプロファイルによってスパースに満たされ、
前記ＤＭＤのエタンデュがスパースに満たされる、システム。
【請求項１３】
請求項１２に記載のシステムであって、
照明光学要素が、近接ビームのビームプロファイルを部分的に重ねるように配置される、システム。
【請求項１４】
請求項１１に記載のシステムであって、
第１の光源からの光が、前記ＤＭＤのマイクロミラーが第１のミラー位置にあるときに投影レンズ内へ操向され、前記ＤＭＤの前記マイクロミラーが第２のミラー位置にあるときに前記投影レンズから離れて操向され、
第２の光源からの光が、前記ＤＭＤのマイクロミラーが前記第２のミラー位置にあるときに前記レンズ内へ操向され、前記ＤＭＤの前記マイクロミラーが前記第１のミラー位置にあるときに前記投影レンズから離れて操向され、
前記ＤＭＤのマイクロミラーが、前記第１及び第２のミラー位置を交互にするようにデューティサイクルされる、システム。
【請求項１５】
請求項１１に記載のシステムであって、
前記ミラーが、非対称Ｆ（焦点長さ）値に従って入射光を反射させるための凹面ミラーである、システム。
【請求項１６】
請求項１５に記載のシステムであって、
前記ミラーが、前記第２の光源からの光を前記ＤＭＤ上に反射させるためのものである、システム。
【請求項１７】
請求項１１に記載のシステムであって、
前記ＤＭＤ上に入射するように又は前記ＤＭＤによって反射されるように、光を部分的に制約するように結合されるスパース開口を更に含む、システム。
【請求項１８】
請求項１１に記載のシステムであって、
感知される走行条件を感知するための入力電子機器と、
感知される走行条件に応答してパワーと明るさとを調節するために、前記第２及び第３の光源と独立して前記第１の光源をソース変調するためのプロセッサと、
を更に含む、システム。
【請求項１９】
方法であって、
ＤＭＤのマイクロミラーの第１のセットを照明するために第１の光源から第１のビームプロファイルを生成することと、
前記ＤＭＤのマイクロミラーの第２のセットを照明するために第２の光源から第２のビームプロファイルを生成することであって、前記第１のビームプロファイルと前記第２のビームプロファイルとが前記ＤＭＤ上で重なる、前記第２のビームプロファイルを生成することと、
前記ＤＭＤのマイクロミラーの第３のセットを照明するために第３の光源から第３のビームプロファイルを生成することであって、前記第２のビームプロファイルと前記第３のビームプロファイルとが前記ＤＭＤ上で重なる、前記第３のビームプロファイルを生成することと、
感知される走行条件に応答してパワーと明るさとを調節するために前記第２及び第３の光源と独立して前記第１の光源を変調することと、
を含む、方法。
【請求項２０】
請求項１９に記載の方法であって、
前記第１の光源からの光を前記ＤＭＤ上に反射させることと、
前記第３の光源からの光を前記ＤＭＤ上にと反射させることと、
を更に含む、方法。